(57)【要約】【課題】手乾燥時においてカビ臭い不快な臭いが使用者の顔辺りに吹き付けられて使用者に不快感を感じさせてしまうことのないハンドドライヤ装置を提供する。【解決手段】吹出口３６から手洗器１２のボウル部３２の側に向けて手乾燥用の空気を吹き出すようにしたハンドドライヤ装置３５において、手洗器１２の下側のキャビネット１４の前面壁１４Ｂに空気吸入用の吸気口９０を設け、吸気口９０よりキャビネット１４外部の外気を吸入して吹出口３６より吹き出すようになす。【選択図】        図１
2006255225.tif 000002
【特許請求の範囲】
【請求項１】
吹出口から手洗器のボウル部等水受凹部の側に向けて手乾燥用の空気を吹き出すようにしたハンドドライヤ装置において
前記水受凹部の下側のキャビネットの壁部に空気吸入用の吸気口を設け、該吸気口よりキャビネット外部の外気を吸入して前記吹出口より吹き出すようになしたことを特徴とするハンドドライヤ装置。
【請求項２】
請求項１において、送風機を備えたドライヤ本体が前記キャビネットの内部に設けてあり、該ドライヤ本体と前記吸気口とが空気吸入管にて連絡されていることを特徴とするハンドドライヤ装置。
【請求項３】
請求項１，２の何れかにおいて、前記吸気口には脱臭カートリッジが設けてあることを特徴とするハンドドライヤ装置。
【請求項４】
請求項１，２の何れかにおいて、前記吸気口には吸入空気に芳香を付与する芳香カートリッジが設けてあることを特徴とするハンドドライヤ装置。
【発明の詳細な説明】
【技術分野】
【０００１】
この発明はハンドドライヤ装置に関し、詳しくは手洗器のボウル部等の水受凹部の側に向けて吹出口から手乾燥用の空気を吹き出すハンドドライヤ装置に関する。
【背景技術】
【０００２】
従来、送風機を備えたドライヤ本体から空気を送り出し、吹出口から手乾燥用の空気を手洗器のボウル部（水受凹部）の側に向けて吹き出すようになしたハンドドライヤ装置が公知である。
【０００３】
例えば下記特許文献１，特許文献２にこの種のハンドドライヤ装置を備えた自動手洗装置が開示されている。
図７はその具体例を示している。
図において２００は自動手洗装置で、カウンター等取付基体２０２の上側において、ケーシング２０４の前面に石鹸液の吐出口２０６と、温水の吐水口２０８とが設けられており、人体検知センサ２１０，２１２による手感知に基づいて吐出口２０６から石鹸液を自動的に吐出し、また吐水口２０８から温水を吐水するようになっている。
【０００４】
２１４はこの自動手洗装置２００に備えられたハンドドライヤ装置で、手乾燥用の温風（空気）の吹出口２１６を備えている。
この吹出口２１６は石鹸液の吐出口２０６，吐水口２０８等とともに取付基体２０２の上側においてケーシング２０４の前面に設けられており、人体検知センサ２１８による手感知に基づいて吹出口２１６から自動的に手洗器２２２のボウル部２２４の側に向けて温風を吹き出し、使用者の濡れた手を乾燥させる。
【０００５】
ハンドドライヤ装置２１４はまた、取付基体２０２の下側、即ちボウル部２２４の下側において送風機２１７及びヒータ２１９を備えたドライヤ本体２２０をキャビネット２２６内に有しており、送風機２１７にて送り出した空気をヒータ２１９の加熱作用で温風となして、これを送風管２２１を通じ吹出口２１６へと送るようになっている。
【０００６】
ところでこの種の自動手洗装置２００におけるハンドドライヤ装置２１４は、従来、キャビネット２２６内の空気をドライヤ本体２２０に設けた吸気口から吸入して、吹出口２１６へと送るようになっており、この場合キャビネット２２６内のカビ臭い臭いがそのまま吹出口２１６から吹き出されてしまうといった問題があった。
【０００７】
特に、手洗器２２２のボウル部２２４の側に向けて吹出口２１６から手乾燥用の空気を吹き出すハンドドライヤ装置２１４の場合、吹き出された空気がボウル部２２４に当って跳ね返され、上向きに巻き上がって使用者の顔付近に吹き付けられることがあるため、そのカビ臭い臭いによって使用者が不快感を感じてしまうといった問題を生ずる。
この問題は上記のような自動手洗装置２００に備えられたハンドドライヤ装置２１４に限らず、単に水受凹部に向けて吹出口から手乾燥用の空気を吹き出す形式のハンドドライヤ装置において共通した問題である。
【０００８】
【特許文献１】実用新案登録第２５１９８８４号
【特許文献２】特開２００１−２０３３８号公報
【発明の開示】
【発明が解決しようとする課題】
【０００９】
本発明は以上のような事情を背景とし、手乾燥時においてカビ臭い臭い等が使用者の顔付近に吹き付けられて使用者に不快感を感じさせるといったことのないハンドドライヤ装置を提供することを目的としてなされたものである。
【課題を解決するための手段】
【００１０】
而して請求項１のものは、吹出口から手洗器のボウル部等水受凹部の側に向けて手乾燥用の空気を吹き出すようにしたハンドドライヤ装置において、前記水受凹部の下側のキャビネットの壁部に空気吸入用の吸気口を設け、該吸気口よりキャビネット外部の外気を吸入して前記吹出口より吹き出すようになしたことを特徴とする。
【００１１】
請求項２のものは、請求項１において、送風機を備えたドライヤ本体が前記キャビネットの内部に設けてあり、該ドライヤ本体と前記吸気口とが空気吸入管にて連絡されていることを特徴とする。
【００１２】
請求項３のものは、請求項１，２の何れかにおいて、前記吸気口には脱臭カートリッジが設けてあることを特徴とする。
【００１３】
請求項４のものは、請求項１，２の何れかにおいて、前記吸気口には吸入空気に芳香を付与する芳香カートリッジが設けてあることを特徴とする。
【発明の作用・効果】
【００１４】
以上のように本発明は、吹出口から水受凹部の側に向けて手乾燥用の空気を吹き出すハンドドライヤ装置において、水受凹部の下側のキャビネットの壁部に空気吸入用の吸気口を設け、その吸気口よりキャビネット外部の外気を吸入して、吹出口から吹き出すようになしたもので、本発明のハンドドライヤ装置にあっては、吹出口から吹き出される手乾燥用の空気が臭気を伴なったキャビネット内の空気ではなく、キャビネット外部の清浄な空気であるため、手乾燥の際に使用者に不快な感じを与えてしまうことがなく、快適にハンドドライヤ装置を使用できるようになる。
【００１５】
この場合において、キャビネットの壁部に設けた吸気口とキャビネットの内部に設けた送風機を有するドライヤ本体とを、空気吸入管にて連絡しておくことができる（請求項２）。
このようにしておけば、キャビネットの内部においてドライヤ本体を任意の位置に設置しつつ、清浄な外気をこのドライヤ本体から吹出口へと送り出すことができる。
ここで空気吸入管は可撓性の管にて構成しておくことができる。
【００１６】
請求項３は、その吸気口に脱臭カートリッジを設けたもので、このようにしておけば、万一キャビネット外部の空気が臭いを伴なっていても、吸気口に設けた脱臭カートリッジにて脱臭することができ、脱臭後の臭いの無い空気を吹出口に送って、そこから外部に吹き出させることができる。
またこの脱臭カートリッジはキャビネットの壁部の吸気口に設けてあるため、その交換を容易に行うことができる。
【００１７】
一方請求項４は、その吸気口に吸入空気に対して芳香を付与する芳香カートリッジを設けたもので、この場合吹出口からの吹出空気に芳香を付与することができ、ハンドドライヤ装置の使用時に使用者に対し快感を与えることができる。
またこの請求項４においても芳香カートリッジが吸気口に設けてあるため、その交換を容易に行うことができる。
【発明を実施するための最良の形態】
【００１８】
次に本発明の実施形態を図面に基づいて詳しく説明する。
図１において、１０は自動手洗装置（ここでは壁掛式）で、陶器製の手洗器１２と、その下部のキャビネット１４及び手洗器１２に装着された機能部ユニット１６とを有している。
機能部ユニット１６はケーシング１８を有しており、各種機能部がそこに内蔵されている。
ここでケーシング１８は、下部のケーシング本体１８Ａとその上端の開口を閉鎖する蓋体１８Ｂとを有している。
【００１９】
手洗器１２の後部には、図２及び図３に示しているようにその後端縁に沿って立上る後壁部２４と、左右一対の側壁部２６とで囲まれた収容凹部２８が形成されており、図２にも示しているようにその収容凹部２８に上記の機能部ユニット１６が収容されている。
機能部ユニット１６は、その後面と側面とがそれぞれ後壁部２４と左右一対の側壁部２６とで囲われており、その前面が手洗器１２のボウル部３２（水受凹部）に向けて開放されている。
ここで収容凹部２８の底部は、機能部ユニット１６を支持する平坦な支持部（取付基体）３０とされている。
尚図２において、３４はボウル部３２に設けられた排水口である。
【００２０】
図１に示しているように、自動手洗装置１０は吐水口３８及び石鹸液の吐出口４０を備えており、それらが機能部ユニット１６におけるケーシング１８の前面に備えられている。
このケーシング１８の前面にはまた、それぞれに対応して人体検知センサ４４，４６が設けられている。
【００２１】
この自動手洗装置１０では、石鹸液の吐出口４０の前方に手を差し出すと、人体検知センサ４６がこれを検知して吐出口４０から自動的にムース状の石鹸液（石鹸液に空気を混合して泡状としたもの）を吐出する。
また吐水口３８の前方に手を差し出すと、人体検知センサ４４がこれを検知して吐水口３８から自動的に温水を吐水する。
【００２２】
尚、図１中石鹸液の吐出口４０の左側の隣接位置には、石鹸液補給用の引出し４８が出入れ可能に設けられている。
石鹸液の補給は、この引出し４８を引き出した状態で上方からその内部に石鹸液を供給することにより行う。
【００２３】
図１に示しているように、キャビネット１４の内部には排水管５０が設けられており、その上端がボウル部３２の排水口３４に接続されている。
ボウル部３２からの排水は、この排水管５０のトラップ部５２を経て外部に排出される。
【００２４】
キャビネット１４の内部にはまた、湯水の混合部５４と、温水の供給遮断を行う電磁弁５６とが設けられており、その混合部５４に対し冷水及び湯をそれぞれ供給する配管が接続されている。
混合部５４に供給された冷水と湯とはここで所定比率に混合されて適温の混合水とされ、電磁弁５６の開弁により給水管５８を通じて吐水口３８へと送られ、そこからボウル部３２に向けて吐水される。
【００２５】
一方キャビネット１４の内部且つ下部には石鹸液タンク６０が設けられており、そこに所定量の石鹸液が貯溜されるようになっている。
この石鹸液タンク６０からは給液管６２が延び出しており、その給液管６２上に給液ポンプ６４が設けられている。
石鹸液タンク６０内の石鹸液は、この給液ポンプ６４により給液管６２を通じて上記の石鹸液の吐出口４０へと送られる。
また石鹸液タンク６０内の石鹸液の液量が少なくなったときには、上記の引出し４８を通じて石鹸液が補給され、補給された石鹸液が補給管６６を通じて石鹸液タンク６０内に流入する。
７０は空気ポンプで、この空気ポンプ７０により空気が給気管６８を通じて上記石鹸液の吐出口４０に向けて送られる。
【００２６】
図１において、３５は自動手洗装置１０に備えられたハンドドライヤ装置で、吹出口３６を有している。
ここで吹出口３６は、石鹸液の吐出口４０，吐水口３８と同様に手洗器１２の上側、詳しくは図３の取付基体としての支持部３０の上側においてケーシング１８の前面にボウル部３２に向けて設けられている。
【００２７】
ハンドドライヤ装置３５は、吹出口３６の直上に人体検知センサ４２を備えており、手洗後の濡れた手を吹出口３６の前方に差し出すと、人体検知センサ４２による検知に基づいて吹出口３６から自動的に温風を吹き出し、濡れた手を乾燥させる。
尚図１において１００は吹出ノズルで、吹出口３６はその吹出ノズル１００の先端に左右に細長いスリット状に形成されている。
【００２８】
ハンドドライヤ装置３５は、送風機及びヒータを内蔵したドライヤ本体７２を有しており、このドライヤ本体７２がキャビネット１４の内部且つ下部に設けられている。
そしてこのドライヤ本体７２と上記の吹出口３６とが、図４にも示しているように可撓性のホースから成る送風管７４で連絡されている。
【００２９】
図１に示しているように、キャビネット１４は一対の側壁１４Ａと、前面壁１４Ｂ（図２参照）と、底壁１４Ｃとを有しており、その前面壁１４Ｂの下部に、キャビネット１４外部の外気を吸入するための吸気口９０が設けられている。
そして図２に示しているようにこの吸気口９０とドライヤ本体７２とが、可撓性の管から成る空気吸入管９２で連絡されている。
【００３０】
本実施形態において、ハンドドライヤ装置３５はドライヤ本体７２がこのキャビネット１４の前面壁１４Ｂで開口した吸気口９０からキャビネット１４外部の外気を吸入して、空気吸入管９２を通じ内部に導き入れるとともに、続いて送風管７４を通じて吹出口３６に送り、そこから手洗器１２のボウル部３２の側に向けて手乾燥用の温風として吹き出す。
【００３１】
本実施形態ではまた、図２の部分拡大図に示しているように吸気口９０に脱臭カートリッジ９４が設けられている。
ここで脱臭カートリッジ９４は、吸気口９０から吸入される空気に対し脱臭作用をなす。
尚この脱臭カートリッジ９４に替えて吸入空気に芳香を付与する芳香カートリッジを設けておくこともできる。
或いはまた脱臭機能と芳香機能とを併せ持ったカートリッジをそこに設けておくこともできる。
【００３２】
このハンドドライヤ装置３５では、ドライヤ本体７２からの空気が送風管７４を通じ吹出口３６へと送られる。
図４に示しているように、吹出ノズル１００は吹出室ケース７８に一体的に設けられている。
そしてその吹出室ケース７８の内部には、同図に示しているように吹出室８０が形成されている。
【００３３】
この吹出室８０は送風路８３の一部を成していて、その底部には送風管７４との連通用の開口８４が設けられており、そして開口８４から接続管８６が下向きに立ち下がっている。
そしてその接続管８６が送風管７４内部に差込接続されている。
ここで接続管８６は吹出室ケース７８に一体的に設けられている。
【００３４】
このハンドドライヤ装置３５では、ドライヤ本体７２から送り出された温風が吹出ノズル１００の先端の吹出口３６からボウル部３２の側に向けて外部に勢い良く吹き出される。
尚図４に示しているように吹出口３６は斜め下向きに向けられている。
【００３５】
以上のように本実施形態ではキャビネット１４の前面壁１４Ｂの下部に、キャビネット１４外部の外気を吸入するための吸気口９０が設けられ、そこからキャビネット１４外部の清浄な外気を吸入することから、手乾燥の際に吹出口３６から吹き出される空気が臭気を伴なうことにより使用者に不快な感じを与えてしまうことがなく、快適にハンドドライヤ装置を使用できるようになる。
【００３６】
また吸気口９０とドライヤ本体７２とを可撓性の管から成る空気吸入管９２にて連絡しているため、キャビネット１４の内部においてドライヤ本体７２を任意の位置に設置しつつ、清浄な外気をこのドライヤ本体７２から吹出口３６へと送り出すことができる。
【００３７】
本実施形態ではまた、吸気口９０に脱臭カートリッジ９４又は芳香カートリッジを設けており、これにより万一キャビネット１４外部の外気が臭いを伴なっていても、吸気口９０に設けた脱臭カートリッジ９４にて脱臭でき又は芳香を付与して脱臭後の臭いの無い空気又は芳香を付与した空気を吹出口３６から吹き出させることができる。
また脱臭カートリッジ９４，芳香カートリッジはキャビネット１４の前面壁１４Ｂの吸気口９０に設けてあるため、その交換を容易に行うことができる。
【００３８】
尚、空気吸入管９２は図５に示しているようにこれを雄管９２-１と９２-２とに分けて、それらをスライド可能に嵌合し、これをスライド伸縮管として構成しておくこともできる。
【００３９】
図６は本発明の他の実施形態を示している。
この実施形態はキャビネット１４が床置式の箱状且つ自立式のもので、天板としてのカウンター９６を有している。
この実施形態において、キャビネット１４は機能部ユニット１６に対し左右の幅の大きいもので、その左右方向の中央部において手洗器１２がカウンター９６に取り付けられている。
【００４０】
尚、機能部ユニット１６がその手洗器１２に装着されている点は上記と同様であり、また自動手洗装置１０の構成についても上記と同様である。
但しこの実施形態では、キャビネット１４における前面壁１４Ｂの上部に吸気口９０が設けられており、そしてこの吸気口９０とドライヤ本体７２とが、クランク状に折れ曲がった空気吸入管９２にて互いに連絡されている。
尚図６（Ｂ）において１４Ｄは蹴込部であり、キャビネット１４における底壁１４Ｃの下側に設けられている。
【００４１】
以上本発明の実施形態を詳述したがこれはあくまで一例示であり、本発明はその趣旨を逸脱しない範囲において種々変更を加えた形態で構成可能である。
【図面の簡単な説明】
【００４２】
【図１】本発明の一実施形態であるハンドドライヤ装置を含む自動手洗装置を示す図である。
【図２】同装置の側面構成を示す図である。
【図３】図１の機能部ユニットの分解図である。
【図４】同機能部ユニットの要部断面図である。
【図５】本発明の他の実施形態の要部を示す図である。
【図６】本発明の更に他の実施形態を示す図である。
【図７】従来の自動手洗装置の一例を示す図である。
【符号の説明】
【００４３】
１２  手洗器
１４  キャビネット
１４Ｂ  前面壁（壁部）
３２  ボウル部
３５  ハンドドライヤ装置
３６  吹出口
７２  ドライヤ本体
９０  吸気口
９２  空気吸入管
９４  脱臭カートリッジ
【図１】
2006255225.tif 000003
【図２】
2006255225.tif 000004
【図３】
2006255225.tif 000005
【図４】
2006255225.tif 000006
【図５】
2006255225.tif 000007
【図６】
2006255225.tif 000008
【図７】
2006255225.tif 000009